(57)【特許請求の範囲】
【請求項１】
紙幣を収納するとともに収納された紙幣を繰り出すことができる収納繰出部と、
前記収納繰出部から繰り出された紙幣を搬送するための搬送部と、
前記搬送部にそれぞれ接続され、当該搬送部から送られた紙幣が集積される複数の集積部と、
各前記集積部から取り出された紙幣の束を帯封媒体によって結束することにより帯封紙幣を形成する帯封部と、
前記帯封部により形成されるべき帯封紙幣の金種毎の数を指定するための帯封紙幣数指定部と、
複数の前記集積部のうち少なくとも一つには他の前記集積部とは異なる金種を割り当て、前記搬送部により搬送される紙幣をその金種に対応する前記集積部に送るよう前記搬送部の制御を行う制御部と、
を備え、
前記制御部は、所定の条件が満たされたときに、前記集積部に割り当てられている金種を変更するようになっており、
前記制御部において、前記帯封部により形成されたある金種の帯封紙幣の数が前記帯封紙幣数指定部により指定された当該金種の帯封紙幣の数に達したときに前記所定の条件が満たされたと判断されるようになっており、このときに、各前記集積部に割り当てられている各金種のうち当該金種が他の金種に変更される、紙幣処理機。
【請求項２】
紙幣を収納するとともに収納された紙幣を繰り出すことができる収納繰出部と、
前記収納繰出部から繰り出された紙幣を搬送するための搬送部と、
前記搬送部にそれぞれ接続され、当該搬送部から送られた紙幣が集積される複数の集積部と、
各前記集積部から取り出された紙幣の束を帯封媒体によって結束することにより帯封紙幣を形成する帯封部と、
複数の前記集積部のうち少なくとも一つには他の前記集積部とは異なる金種を割り当て、前記搬送部により搬送される紙幣をその金種に対応する前記集積部に送るよう前記搬送部の制御を行う制御部と、
を備え、
前記制御部は、所定の条件が満たされたときに、前記集積部に割り当てられている金種を変更するようになっており、
前記制御部において、前記収納繰出部に残留しているある金種の紙幣の枚数が所定数未満となるとともに前記集積部に集積されている当該金種の紙幣の枚数が０枚となったときに前記所定の条件が満たされたと判断されるようになっており、このときに、各前記集積部に割り当てられている各金種のうち当該金種が他の金種に変更される、紙幣処理機。
【請求項３】
紙幣を収納するとともに収納された紙幣を繰り出すことができる収納繰出部と、
前記収納繰出部から繰り出された紙幣を搬送するための搬送部と、
前記搬送部にそれぞれ接続され、当該搬送部から送られた紙幣が集積される複数の集積部と、
各前記集積部から取り出された紙幣の束を帯封媒体によって結束することにより帯封紙幣を形成する帯封部と、
前記帯封部により形成された帯封紙幣を収納するための帯封紙幣収納部と、
複数の前記集積部のうち少なくとも一つには他の前記集積部とは異なる金種を割り当て、前記搬送部により搬送される紙幣をその金種に対応する前記集積部に送るよう前記搬送部の制御を行う制御部と、
を備え、
前記制御部は、所定の条件が満たされたときに、前記集積部に割り当てられている金種を変更するようになっており、
前記制御部において、前記帯封部により形成されたある金種の帯封紙幣を前記帯封紙幣収納部に収納することができなくなったときに前記所定の条件が満たされたと判断されるようになっており、このときに、各前記集積部に割り当てられている各金種のうち当該金種が他の金種に変更される、紙幣処理機。
【請求項４】
前記制御部は、各前記集積部に割り当てられている複数の金種のうちある金種を他の金種に変更する際に、他の前記集積部に既に割り当てられている金種に変更する、請求項１乃至３のいずれか一項に記載の紙幣処理機。
【請求項５】
前記制御部は、各前記集積部に割り当てられている複数の金種のうちある金種を他の金種に変更する際に、他の前記集積部に割り当てられていない金種に変更する、請求項１乃至３のいずれか一項に記載の紙幣処理機。
【請求項６】
前記収納繰出部は、複数の金種の紙幣を混合状態で収納するようになっている、請求項１乃至５のいずれか一項に記載の紙幣処理機。
【請求項７】
収納繰出部と、搬送部と、複数の集積部と、帯封部と、制御部と、帯封紙幣数指定部とを備えた紙幣処理装置が行う紙幣処理方法であって、
前記収納繰出部に収納されている紙幣を当該収納繰出部から繰り出して前記搬送部により前記複数の集積部のうち何れかの集積部に送る工程と、
各前記集積部から紙幣の束を取り出し、取り出された紙幣の束を帯封媒体によって結束することによって帯封紙幣を前記帯封部により形成する工程と、
を備え、
前記制御部は、複数の前記集積部のうち少なくとも一つには他の前記集積部とは異なる金種を割り当て、前記搬送部により搬送される紙幣をその金種に対応する前記集積部に送るよう前記搬送部の制御を行うようになっており、
前記制御部は、所定の条件が満たされたときに、前記集積部に割り当てられている金種を変更するようになっており、
前記制御部において、前記帯封部により形成されたある金種の帯封紙幣の数が前記帯封紙幣数指定部により指定された当該金種の帯封紙幣の数に達したときに前記所定の条件が満たされたと判断されるようになっており、このときに、各前記集積部に割り当てられている各金種のうち当該金種が他の金種に変更される、紙幣処理方法。
【請求項８】
収納繰出部と、搬送部と、複数の集積部と、帯封部と、制御部とを備えた紙幣処理装置が行う紙幣処理方法であって、
前記収納繰出部に収納されている紙幣を当該収納繰出部から繰り出して前記搬送部により前記複数の集積部のうち何れかの集積部に送る工程と、
各前記集積部から紙幣の束を取り出し、取り出された紙幣の束を帯封媒体によって結束することによって帯封紙幣を前記帯封部により形成する工程と、
を備え、
前記制御部は、複数の前記集積部のうち少なくとも一つには他の前記集積部とは異なる金種を割り当て、前記搬送部により搬送される紙幣をその金種に対応する前記集積部に送るよう前記搬送部の制御を行うようになっており、
前記制御部は、所定の条件が満たされたときに、前記集積部に割り当てられている金種を変更するようになっており、
前記制御部において、前記収納繰出部に残留しているある金種の紙幣の枚数が所定数未満となるとともに前記集積部に集積されている当該金種の紙幣の枚数が０枚となったときに前記所定の条件が満たされたと判断されるようになっており、このときに、各前記集積部に割り当てられている各金種のうち当該金種が他の金種に変更される、紙幣処理方法。
【請求項９】
収納繰出部と、搬送部と、複数の集積部と、帯封部と、制御部と、帯封紙幣収納部とを備えた紙幣処理装置が行う紙幣処理方法であって、
収納繰出部に収納されている紙幣を当該収納繰出部から繰り出して搬送部により複数の集積部のうち何れかの集積部に送る工程と、
各前記集積部から紙幣の束を取り出し、取り出された紙幣の束を帯封媒体によって結束することによって帯封紙幣を前記帯封部により形成する工程と、
を備え、
前記制御部は、複数の前記集積部のうち少なくとも一つには他の前記集積部とは異なる金種を割り当て、前記搬送部により搬送される紙幣をその金種に対応する前記集積部に送るよう前記搬送部の制御を行うようになっており、
前記制御部は、所定の条件が満たされたときに、前記集積部に割り当てられている金種を変更するようになっており、
前記制御部において、前記帯封部により形成されたある金種の帯封紙幣を前記帯封紙幣収納部に収納することができなくなったときに前記所定の条件が満たされたと判断されるようになっており、このときに、各前記集積部に割り当てられている各金種のうち当該金種が他の金種に変更される、紙幣処理方法。
【発明の詳細な説明】
【技術分野】
【０００１】
本発明は、紙幣の処理を行う紙幣処理機およびこのような紙幣処理機による紙幣処理方法に関し、とりわけ、収納繰出部に収納されている紙幣（バラ紙幣）を当該収納繰出部から繰り出して搬送部により複数の集積部のうち何れかの集積部に送り、各集積部に集積された紙幣の枚数が所定数（例えば、１００枚）に達したときに当該集積部から紙幣の束を取り出し、取り出された紙幣の束を帯封紙等の帯封媒体によって結束することにより帯封紙幣を形成するような紙幣処理機および紙幣処理方法に関する。
【背景技術】
【０００２】
所定数（例えば、１００枚）の紙幣の束を帯封紙によって結束することにより帯封紙幣を形成するような紙幣処理機として従来から様々なタイプのものが知られている（例えば、特許文献１、２等参照）。このような紙幣処理機では、収納繰出部に収納されている紙幣（バラ紙幣）を当該収納繰出部から繰り出して搬送部により複数の集積部のうち何れかの集積部に送り、各集積部に集積された紙幣の枚数が所定数（例えば、１００枚）に達したときに当該集積部から搬送アーム等によって紙幣の束を取り出し、取り出された紙幣の束を帯封部において帯封紙によって結束することにより帯封紙幣を形成するようになっている。
【０００３】
このような紙幣処理機において、２つの金種の帯封紙幣が並行して形成される場合がある。具体的には、紙幣処理機において、複数の収納繰出部のうちある収納繰出部には複数の金種の紙幣が混合状態で収納されるようになっているとともに、第１の金種（例えば、千円札）が割り当てられた第１の集積部および第２の金種（例えば、一万円札）が割り当てられた第２の集積部がそれぞれ設けられており、複数の金種の紙幣が混合状態で収納された収納繰出部から繰り出された紙幣のうち第１の金種の紙幣（すなわち、千円札）は第１の集積部に送られ、第２の金種の紙幣（すなわち、一万円札）は第２の集積部に送られ、その他の金種の紙幣は当該収納繰出部に戻されるようになっている。そして、第１の集積部および第２の集積部の各々において、集積された紙幣の枚数が所定数に達したときに当該集積部から紙幣の束が搬送アーム等によって取り出され、帯封部においてこの取り出された紙幣の束に帯封紙が巻かれることにより帯封紙幣が形成されるようになる。
【先行技術文献】
【特許文献】
【０００４】
【特許文献１】特許第４０３４０６４号
【特許文献２】特許第４３６３５４１号
【発明の概要】
【発明が解決しようとする課題】
【０００５】
上述した紙幣処理機において、２つの金種の帯封紙幣が並行して形成される場合に、帯封部により形成された一方の金種の帯封紙幣の数が予め指定された帯封紙幣の数（具体的には、操作者により入力された、帯封部により形成されるべき帯封紙幣の数）に達したときには、当該金種の紙幣はこれ以上この金種に対応する集積部に送られることはなく、他方の金種の紙幣のみが当該金種に対応する集積部に送られるようになる。しかしながら、このような運用では、一方の集積部には紙幣が送られないようになるため、複数の集積部をフル活用することができず、複数の金種の帯封紙幣を帯封部により形成するのに時間がかかるという問題があった。
【０００６】
本発明は、このような点を考慮してなされたものであり、複数の金種の帯封紙幣を帯封部により形成するのにかかる時間を短縮することができる紙幣処理機および紙幣処理方法を提供することを目的とする。
【課題を解決するための手段】
【０００７】
本発明の紙幣処理機は、紙幣を収納するとともに収納された紙幣を繰り出すことができる収納繰出部と、前記収納繰出部から繰り出された紙幣を搬送するための搬送部と、前記搬送部にそれぞれ接続され、当該搬送部から送られた紙幣が集積される複数の集積部と、各前記集積部から取り出された紙幣の束を帯封媒体によって結束することにより帯封紙幣を形成する帯封部と、前記帯封部により形成されるべき帯封紙幣の金種毎の数を指定するための帯封紙幣数指定部と、複数の前記集積部のうち少なくとも一つには他の前記集積部とは異なる金種を割り当て、前記搬送部により搬送される紙幣をその金種に対応する前記集積部に送るよう前記搬送部の制御を行う制御部と、を備え、前記制御部は、所定の条件が満たされたときに、前記集積部に割り当てられている金種を変更するようになっており、前記制御部において、前記帯封部により形成されたある金種の帯封紙幣の数が前記帯封紙幣数指定部により指定された当該金種の帯封紙幣の数に達したときに前記所定の条件が満たされたと判断されるようになっており、このときに、各前記集積部に割り当てられている各金種のうち当該金種が他の金種に変更されることを特徴とする。
また、本発明の紙幣処理機は、紙幣を収納するとともに収納された紙幣を繰り出すことができる収納繰出部と、前記収納繰出部から繰り出された紙幣を搬送するための搬送部と、前記搬送部にそれぞれ接続され、当該搬送部から送られた紙幣が集積される複数の集積部と、各前記集積部から取り出された紙幣の束を帯封媒体によって結束することにより帯封紙幣を形成する帯封部と、複数の前記集積部のうち少なくとも一つには他の前記集積部とは異なる金種を割り当て、前記搬送部により搬送される紙幣をその金種に対応する前記集積部に送るよう前記搬送部の制御を行う制御部と、を備え、前記制御部は、所定の条件が満たされたときに、前記集積部に割り当てられている金種を変更するようになっており、前記制御部において、前記収納繰出部に残留しているある金種の紙幣の枚数が所定数未満となるとともに前記集積部に集積されている当該金種の紙幣の枚数が０枚となったときに前記所定の条件が満たされたと判断されるようになっており、このときに、各前記集積部に割り当てられている各金種のうち当該金種が他の金種に変更されることを特徴とする。
また、本発明の紙幣処理機は、紙幣を収納するとともに収納された紙幣を繰り出すことができる収納繰出部と、前記収納繰出部から繰り出された紙幣を搬送するための搬送部と、前記搬送部にそれぞれ接続され、当該搬送部から送られた紙幣が集積される複数の集積部と、各前記集積部から取り出された紙幣の束を帯封媒体によって結束することにより帯封紙幣を形成する帯封部と、前記帯封部により形成された帯封紙幣を収納するための帯封紙幣収納部と、複数の前記集積部のうち少なくとも一つには他の前記集積部とは異なる金種を割り当て、前記搬送部により搬送される紙幣をその金種に対応する前記集積部に送るよう前記搬送部の制御を行う制御部と、を備え、前記制御部は、所定の条件が満たされたときに、前記集積部に割り当てられている金種を変更するようになっており、前記制御部において、前記帯封部により形成されたある金種の帯封紙幣を前記帯封紙幣収納部に収納することができなくなったときに前記所定の条件が満たされたと判断されるようになっており、このときに、各前記集積部に割り当てられている各金種のうち当該金種が他の金種に変更されることを特徴とする。
【０００８】
このような紙幣処理機によれば、複数の金種の帯封紙幣が並行して形成される際に、ある金種の帯封紙幣を紙幣処理機でこれ以上形成する必要がなくなるような所定の条件が満たされたときには、集積部に割り当てられている当該金種を他の金種に変更することにより、複数の集積部をフル活用することができるようになり、このため複数の金種の帯封紙幣を帯封部により形成するのにかかる時間を短縮することができる。
【００１２】
本発明の紙幣処理機においては、前記制御部は、各前記集積部に割り当てられている複数の金種のうちある金種を他の金種に変更する際に、他の前記集積部に既に割り当てられている金種に変更するようになっていてもよい。
【００１３】
あるいは、前記制御部は、各前記集積部に割り当てられている複数の金種のうちある金種を他の金種に変更する際に、他の前記集積部に割り当てられていない金種に変更するようになっていてもよい。
【００１４】
本発明の紙幣処理機においては、前記収納繰出部は、複数の金種の紙幣を混合状態で収納するようになっていてもよい。
【００１５】
本発明の紙幣処理方法は、収納繰出部と、搬送部と、複数の集積部と、帯封部と、制御部と、帯封紙幣数指定部とを備えた紙幣処理装置が行う紙幣処理方法であって、前記収納繰出部に収納されている紙幣を当該収納繰出部から繰り出して前記搬送部により前記複数の集積部のうち何れかの集積部に送る工程と、各前記集積部から紙幣の束を取り出し、取り出された紙幣の束を帯封媒体によって結束することによって帯封紙幣を前記帯封部により形成する工程と、を備え、前記制御部は、複数の前記集積部のうち少なくとも一つには他の前記集積部とは異なる金種を割り当て、前記搬送部により搬送される紙幣をその金種に対応する前記集積部に送るよう前記搬送部の制御を行うようになっており、前記制御部は、所定の条件が満たされたときに、前記集積部に割り当てられている金種を変更するようになっており、前記制御部において、前記帯封部により形成されたある金種の帯封紙幣の数が前記帯封紙幣数指定部により指定された当該金種の帯封紙幣の数に達したときに前記所定の条件が満たされたと判断されるようになっており、このときに、各前記集積部に割り当てられている各金種のうち当該金種が他の金種に変更されることを特徴とする。
また、本発明の紙幣処理方法は、収納繰出部と、搬送部と、複数の集積部と、帯封部と、制御部とを備えた紙幣処理装置が行う紙幣処理方法であって、前記収納繰出部に収納されている紙幣を当該収納繰出部から繰り出して前記搬送部により前記複数の集積部のうち何れかの集積部に送る工程と、各前記集積部から紙幣の束を取り出し、取り出された紙幣の束を帯封媒体によって結束することによって帯封紙幣を前記帯封部により形成する工程と、を備え、前記制御部は、複数の前記集積部のうち少なくとも一つには他の前記集積部とは異なる金種を割り当て、前記搬送部により搬送される紙幣をその金種に対応する前記集積部に送るよう前記搬送部の制御を行うようになっており、前記制御部は、所定の条件が満たされたときに、前記集積部に割り当てられている金種を変更するようになっており、前記制御部において、前記収納繰出部に残留しているある金種の紙幣の枚数が所定数未満となるとともに前記集積部に集積されている当該金種の紙幣の枚数が０枚となったときに前記所定の条件が満たされたと判断されるようになっており、このときに、各前記集積部に割り当てられている各金種のうち当該金種が他の金種に変更されることを特徴とする。
また、本発明の紙幣処理方法は、収納繰出部と、搬送部と、複数の集積部と、帯封部と、制御部と、帯封紙幣収納部とを備えた紙幣処理装置が行う紙幣処理方法であって、収納繰出部に収納されている紙幣を当該収納繰出部から繰り出して搬送部により複数の集積部のうち何れかの集積部に送る工程と、各前記集積部から紙幣の束を取り出し、取り出された紙幣の束を帯封媒体によって結束することによって帯封紙幣を前記帯封部により形成する工程と、を備え、前記制御部は、複数の前記集積部のうち少なくとも一つには他の前記集積部とは異なる金種を割り当て、前記搬送部により搬送される紙幣をその金種に対応する前記集積部に送るよう前記搬送部の制御を行うようになっており、前記制御部は、所定の条件が満たされたときに、前記集積部に割り当てられている金種を変更するようになっており、前記制御部において、前記帯封部により形成されたある金種の帯封紙幣を前記帯封紙幣収納部に収納することができなくなったときに前記所定の条件が満たされたと判断されるようになっており、このときに、各前記集積部に割り当てられている各金種のうち当該金種が他の金種に変更されることを特徴とする。
【００１６】
このような紙幣処理方法によれば、複数の金種の帯封紙幣が並行して形成される際に、ある金種の帯封紙幣を紙幣処理機でこれ以上形成する必要がなくなるような所定の条件が満たされたときには、集積部に割り当てられている当該金種を他の金種に変更することにより、複数の集積部をフル活用することができるようになり、このため複数の金種の帯封紙幣を帯封部により形成するのにかかる時間を短縮することができる。
【発明の効果】
【００１７】
本発明の紙幣処理機および紙幣処理方法によれば、複数の金種の帯封紙幣を帯封部により形成するのにかかる時間を短縮することができる。
【図面の簡単な説明】
【００１８】
【図１】本発明の実施の形態による紙幣処理機の構成の概略を示す概略構成図であって、（ａ）は、紙幣収納ユニットの構成を示す構成図であり、（ｂ）は、紙幣帯封ユニットの構成を示す構成図である。
【図２】図１に示す紙幣処理機の制御系の構成を示す機能ブロック図である。
【図３】図１に示す紙幣処理機において、２つの金種の帯封紙幣を並行して形成するときの動作を示すフローチャートである。
【発明を実施するための形態】
【００１９】
以下、図面を参照して本発明の実施の形態について説明する。図１乃至図３は、本実施の形態に係る紙幣処理機を示す図である。このうち、図１は、本実施の形態による紙幣処理機の構成の概略を示す概略構成図であり、図２は、図１に示す紙幣処理機の制御系の構成を示す機能ブロック図である。また、図３は、図１に示す紙幣処理機において、２つの金種の帯封紙幣を並行して形成するときの動作を示すフローチャートである。
【００２０】
図１に示すように、本実施の形態による紙幣処理機は、図１（ａ）に示すような紙幣収納ユニット１００と、図１（ｂ）に示すような紙幣帯封ユニット２００とから構成されている。具体的には、紙幣収納ユニット１００および紙幣帯封ユニット２００はそれぞれ略直方体形状のものとなっており、これらの紙幣収納ユニット１００および紙幣帯封ユニット２００が左右に並ぶよう配置されることにより紙幣処理機が構成されている。紙幣収納ユニット１００および紙幣帯封ユニット２００の各構成部材について以下に説明する。
【００２１】
図１（ａ）に示すように、紙幣収納ユニット１００は略直方体形状の筐体１０２を有しており、この紙幣収納ユニット１００には、外部から筐体１０２内に紙幣を投入するための紙幣投入部１１０および筐体１０２内から外部にバラ紙幣を投出するためのバラ紙幣投出部１５２がそれぞれ設けられている。紙幣投入部１１０には紙幣繰出部１１２が設けられており、外部から紙幣投入部１１０に投入された紙幣は紙幣繰出部１１２により１枚ずつ筐体１０２内に繰り出されるようになっている。また、紙幣繰出部１１２には入金搬送部１１４が接続されており、紙幣繰出部１１２により筐体１０２内に繰り出された紙幣は入金搬送部１１４により１枚ずつ搬送されるようになっている。ここで、入金搬送部１１４には入金識別部１１６が設けられており、入金搬送部１１４により搬送される紙幣は入金識別部１１６によりその金種、真偽、正損、新旧等が識別されるようになっている。また、入金搬送部１１４による紙幣の搬送方向における入金識別部１１６の下流側には表裏反転部１１８が設けられており、入金識別部１１６により識別された紙幣は表裏反転部１１８によりその表裏が整えられるようになっている。具体的には、表裏反転部１１８に送られた紙幣のうち、例えば裏面が上側となっている紙幣のみの表裏が反転されることにより、この表裏反転部１１８から出された紙幣は全て表面（おもてめん）が上側となるようになる。また、入金搬送部１１４には入金リジェクト部１２０が接続されており、入金識別部１１６により正常な紙幣ではないと識別された紙幣、すなわちリジェクト紙幣が入金搬送部１１４から入金リジェクト部１２０に送られるようになっている。入金リジェクト部１２０は紙幣収納ユニット１００の筐体１０２の外部からアクセス可能となっており、操作者はこの入金リジェクト部１２０に集積されたリジェクト紙幣を手動で取り出すことができるようになっている。
【００２２】
また、図１（ａ）に示すように、入金搬送部１１４には１つの一括一時保留部１３０と、複数（例えば４つ）の金種別一時保留部１３２とがそれぞれ接続されている。ここで、１つの一括一時保留部１３０および複数の金種別一時保留部１３２は入金搬送部１１４や後述する下部搬送部１４６に対して並列に並ぶよう配設されている。入金搬送部１１４から一括一時保留部１３０や各金種別一時保留部１３２に搬送された紙幣は、これらの一括一時保留部１３０や各金種別一時保留部１３２において積層状態で集積されることにより一時的に保留されるようになっている。なお、一括一時保留部１３０には複数の金種の紙幣が混合状態で一時的に保留されるようになっており、また、各金種別一時保留部１３２にはそれぞれ特定の金種の紙幣が一時的に保留されるようになっている。また、一括一時保留部１３０に対応して１つの一括紙幣収納庫１４０が設けられているとともに、各金種別一時保留部１３２に対応して複数の金種別紙幣収納庫１４２が設けられている。一括紙幣収納庫１４０には、一括一時保留部１３０から送られた紙幣が積層状態で収納されるようになっている。また、各金種別紙幣収納庫１４２には、対応する金種別一時保留部１３２から送られた紙幣が積層状態で収納されるようになっている。なお、一括紙幣収納庫１４０には複数の金種の紙幣が混合状態で収納されるようになっており、また、各金種別紙幣収納庫１４２にはそれぞれ特定の金種の紙幣が収納されるようになっている。また、一括紙幣収納庫１４０および各金種別紙幣収納庫１４２にはそれぞれ紙幣繰出部１４４が設けられており、これらの一括紙幣収納庫１４０および各金種別紙幣収納庫１４２から紙幣が１枚ずつ紙幣繰出部１４４により繰り出されるようになっている。
【００２３】
また、図１（ａ）に示すように、各紙幣繰出部１４４には下部搬送部１４６が接続されており、各紙幣繰出部１４４により一括紙幣収納庫１４０や各金種別紙幣収納庫１４２から繰り出された紙幣は下部搬送部１４６により１枚ずつ搬送されるようになっている。ここで、下部搬送部１４６には出金識別部１４８が接続されており、下部搬送部１４６により搬送される紙幣は出金識別部１４８によりその金種、真偽、正損、新旧等が識別されるようになっている。なお、出金識別部１４８は、紙幣の金種および新旧のみの識別を行い、紙幣の真偽、正損の識別は行わないようになっていてもよい。また、出金識別部１４８には出金搬送部１５０が接続されており、この出金識別部１４８により識別された紙幣は出金搬送部１５０により１枚ずつ搬送されるようになっている。
【００２４】
図１（ａ）に示すように、出金搬送部１５０にはバラ紙幣投出部１５２、出金リジェクト部１５４、２つの整理一時保留部１６０がそれぞれ接続されており、出金識別部１４８により識別された紙幣のうち、筐体１０２の外部に投出されるべき紙幣は出金搬送部１５０によりバラ紙幣投出部１５２に送られてこのバラ紙幣投出部１５２に集積されるようになっている。バラ紙幣投出部１５２は紙幣収納ユニット１００の筐体１０２の外部からアクセス可能となっており、操作者はこのバラ紙幣投出部１５２に集積されたバラ紙幣を手動で取り出すことができるようになっている。また、出金識別部１４８により正常な紙幣ではないと識別された紙幣、すなわちリジェクト紙幣は出金搬送部１５０により出金リジェクト部１５４に送られるようになっている。また、出金リジェクト部１５４に集積されたリジェクト紙幣を取り出すにあたり、操作者は紙幣収納ユニット１００の筐体１０２に設けられた扉を開いて出金リジェクト部１５４内のリジェクト紙幣を取り出すようになっている。また、出金識別部１４８により識別された紙幣のうち、紙幣帯封ユニット２００により帯封されるべき紙幣は出金搬送部１５０により各整理一時保留部１６０に送られるようになっている。各整理一時保留部１６０では、出金搬送部１５０から送られた紙幣が積層状態で集積されるようになっている。また、図１（ａ）に示すように、出金識別部１４８により識別された紙幣を出金搬送部１５０により表裏反転部１１８に送ることができるようになっており、出金搬送部１５０により表裏反転部１１８に送られた紙幣は入金搬送部１１４により一括一時保留部１３０や各金種別一時保留部１３２に搬送されるようになっている。
【００２５】
図１（ａ）に示すように、入金搬送部１１４や出金搬送部１５０における分岐箇所には分岐部材１７０がそれぞれ設けられており、これらの分岐部材１７０により分岐箇所における紙幣の搬送先が決められるようになっている。また、入金搬送部１１４、下部搬送部１４６、出金搬送部１５０には紙幣の検出を行う紙幣検出センサ１８０が複数設けられている。また、本実施の形態では、出金搬送部１５０における、出金識別部１４８と各整理一時保留部１６０との間には、紙幣厚さ検知センサ１８２および半券検知センサ１８４がそれぞれ設けられている。また、半券検知センサ１８４は、バラ紙幣投出部１５２への入口部分である出金搬送部１５０にも設けられている。
【００２６】
図１（ｂ）に示すように、紙幣帯封ユニット２００は略直方体形状の筐体２０２を有しており、この紙幣帯封ユニット２００の筐体２０２内には、整理一時保留部１６０に集積された紙幣の束を取り出すためのアーム部２１０と、アーム部２１０により取り出された紙幣の束を帯封するための帯封部２１２とがそれぞれ設けられている。アーム部２１０により整理一時保留部１６０から取り出された紙幣の束は帯封部２１２に送られて当該帯封部２１２により帯封されるようになっている。具体的には、帯封部２１２の近傍にはテープセット部２１４が設けられており、このテープセット部２１４から帯封紙が帯封部２１２に送られることによって、帯封部２１２において例えば１００枚の紙幣の束が帯封紙により結束されるようになっている。帯封部２１２には帯封紙幣搬送部２１６が接続されており、帯封部２１２により帯封された帯封紙幣は帯封紙幣搬送部２１６により帯封紙幣投出部２１８に搬送されるようになっている。帯封紙幣投出部２１８は紙幣帯封ユニット２００の筐体２０２の外部からアクセス可能となっており、操作者はこの帯封紙幣投出部２１８に送られた帯封紙幣を手動で取り出すことができるようになっている。
【００２７】
また、図１（ｂ）に示すように、帯封紙幣投出部２１８には帯封紙幣収納出金用搬送部２２０やリフト部２２４が接続されている。帯封紙幣収納出金用搬送部２２０には帯封紙幣判別部２２２が設けられており、この帯封紙幣判別部２２２は、帯封紙幣投出部２１８から帯封紙幣収納出金用搬送部２２０に送られた帯封紙幣の金種等の判別を行うようになっている。また、帯封紙幣収納出金用搬送部２２０には複数の帯封紙幣収納カセット２３０が接続されており、帯封部２１２により帯封された帯封紙幣のうち、帯封紙幣投出部２１８により筐体２０２の外部に投出されない帯封紙幣は帯封紙幣収納出金用搬送部２２０により各帯封紙幣収納カセット２３０に金種別に収納されるようになっている。また、各帯封紙幣収納カセット２３０にはカセット駆動部２３２が設けられており、これらのカセット駆動部２３２により、各帯封紙幣収納カセット２３０に収納された帯封紙幣が帯封紙幣収納出金用搬送部２２０に繰り出されるようになっている。各帯封紙幣収納カセット２３０から帯封紙幣収納出金用搬送部２２０に繰り出された帯封紙幣は帯封紙幣投出部２１８に送られ、この帯封紙幣投出部２１８から筐体２０２の外部に投出される。また、帯封紙幣搬送部２１６から帯封紙幣投出部２１８に送られた帯封紙幣はリフト部２２４により図１（ｂ）における上下方向に搬送可能となっている。ここで、リフト部２２４の下部にも回収用の開口が設けられており、リフト部２２４により下部に搬送された帯封紙幣はこの開口から筐体２０２の外部に投出可能となっている。
【００２８】
また、本実施の形態の紙幣処理機には、当該紙幣処理機の紙幣収納ユニット１００および紙幣帯封ユニット２００の各構成部材の制御を行う制御部１０が設けられている。より詳細には、図２に示すように、制御部１０には紙幣収納ユニット１００の各構成部材（具体的には、紙幣繰出部１１２、入金搬送部１１４、入金識別部１１６、表裏反転部１１８、一括一時保留部１３０、金種別一時保留部１３２、紙幣繰出部１４４、下部搬送部１４６、出金識別部１４８、出金搬送部１５０、分岐部材１７０、各種センサ１８０、１８２、１８４）および紙幣帯封ユニット２００の各構成部材（具体的には、アーム部２１０、帯封部２１２、テープセット部２１４、帯封紙幣搬送部２１６、帯封紙幣投出部２１８、帯封紙幣収納出金用搬送部２２０、帯封紙幣判別部２２２、リフト部２２４、カセット駆動部２３２）がそれぞれ通信可能に接続されている。そして、紙幣収納ユニット１００の入金識別部１１６や出金識別部１４８による紙幣の識別結果に係る信号や、各種センサ１８０、１８２、１８４による紙幣の検知結果に係る信号、ならびに帯封紙幣判別部２２２による帯封紙幣の金種等の判別結果に係る信号等が制御部１０に送られるようになっている。また、制御部１０は、紙幣収納ユニット１００および紙幣帯封ユニット２００の各構成部材に指令信号を送ることによりこれらの構成部材の制御を行うようになっている。
【００２９】
また、図２に示すように、本実施の形態の紙幣処理機において、制御部１０には表示部１２、操作部１４、記憶部１６、印字部１８および通信インターフェース部２０がそれぞれ通信可能に接続されている。表示部１２は例えば紙幣収納ユニット１００の筐体１０２や紙幣帯封ユニット２００の筐体２０２の前面や上面に設けられたモニタ等からなり、紙幣収納ユニット１００や紙幣帯封ユニット２００による紙幣の処理状況や、一括紙幣収納庫１４０や各金種別紙幣収納庫１４２に収納されている紙幣の在高等に関する情報、および各帯封紙幣収納カセット２３０に収納されている帯封紙幣の在高等に関する情報が表示部１２に表示されるようになっている。また、操作部１４は例えばキーボードや操作キー等からなり、操作者はこの操作部１４により制御部１０に対して様々な指令を与えることができるようになっている。なお、表示部１２および操作部１４がそれぞれ設けられる代わりに、表示部１２および操作部１４の機能が一体化されたタッチパネル等の操作表示部が紙幣収納ユニット１００の筐体１０２や紙幣帯封ユニット２００の筐体２０２の前面や上面に設けられていてもよい。
【００３０】
記憶部１６には、紙幣収納ユニット１００や紙幣帯封ユニット２００による紙幣の処理履歴や、一括紙幣収納庫１４０や各金種別紙幣収納庫１４２に収納されている紙幣の在高等に関する情報、および各帯封紙幣収納カセット２３０に収納されている帯封紙幣の在高等に関する情報が記憶されるようになっている。また、印字部１８は、紙幣収納ユニット１００や紙幣帯封ユニット２００による紙幣の処理履歴や、一括紙幣収納庫１４０や各金種別紙幣収納庫１４２に収納されている紙幣の在高等に関する情報、および各帯封紙幣収納カセット２３０に収納されている帯封紙幣の在高等に関する情報をレシート等に印字するようになっている。また、制御部１０は通信インターフェース部２０を介して本実施の形態による紙幣処理機とは別に設けられた外部装置（具体的には、例えば上位端末）に対して信号の送受信を行うことができるようになっている。
【００３１】
また、図２に示すように、本実施の形態の紙幣処理機において、制御部１０には帯封紙幣数指定部３０が通信可能に接続されている。帯封紙幣数指定部３０は、操作者によって操作部１４により制御部１０に入力された情報や通信インターフェース部２０を介して上位端末等の外部装置から制御部１０に送信された情報に基づいて、帯封部２１２により形成されるべき帯封紙幣の金種毎の数を指定するようになっている。
【００３２】
次に、このような構成からなる紙幣処理機の動作について説明する。なお、以下に示すような紙幣処理機の動作は、制御部１０が紙幣収納ユニット１００や紙幣帯封ユニット２００の各構成部材を制御することにより行われるようになっている。
【００３３】
まず、紙幣収納ユニット１００において紙幣の入金処理を行う際の動作について説明する。本実施の形態による紙幣処理機が待機状態となっているときに、操作者が紙幣投入部１１０に紙幣を投入するとともに、入金処理開始の指令を操作部１４により制御部１０に入力したり上位端末等の外部装置から通信インターフェース部２０を介して制御部１０に入金処理開始の指令が送信されたりすると、紙幣投入部１１０に投入された紙幣は紙幣繰出部１１２により１枚ずつ筐体１０２内に繰り出され、入金搬送部１１４により搬送されるようになる。そして、入金搬送部１１４により搬送される紙幣は入金識別部１１６によりその金種、真偽、正損、新旧等が識別される。入金識別部１１６により識別された紙幣は表裏反転部１１８によりその表裏が整えられる。具体的には、表裏反転部１１８に送られた紙幣のうち、例えば裏面が上側となっている紙幣のみの表裏が反転されることにより、この表裏反転部１１８から出された紙幣は全て表面（おもてめん）が上側となるようになる。また、入金識別部１１６により正常な紙幣ではないと識別された紙幣、すなわちリジェクト紙幣は入金搬送部１１４から入金リジェクト部１２０に送られる。入金リジェクト部１２０は紙幣収納ユニット１００の筐体１０２の外部からアクセス可能となっており、紙幣投入部１１０に投入された紙幣が全て筐体１０２内に繰り出されると、操作者はこの入金リジェクト部１２０に集積されたリジェクト紙幣を手動で取り出し、紙幣投入部１１０に再投入等するようになる。
【００３４】
一方、入金識別部１１６により正常な紙幣であると識別された紙幣は、入金搬送部１１４により一括一時保留部１３０または各金種別一時保留部１３２に送られ、これらの一時保留部で一時的に保留されるようになる。具体的には、入金識別部１１６により正常な紙幣であると識別された紙幣は、対応する金種の金種別一時保留部１３２に送られるが、この対応する金種の金種別一時保留部１３２が満杯状態である場合には入金処理が停止される。そして、正常な紙幣のうち旧券は一括一時保留部１３０に送られるようになる。紙幣投入部１１０に投入された紙幣が全て筐体１０２内に繰り出され、入金リジェクト部１２０、一括一時保留部１３０または各金種別一時保留部１３２に送られると、表示部１２には操作者に対して入金確定の指令を促すメッセージが表示される。このときに、操作者が操作部１４により入金確定の指令を入力すると、一括一時保留部１３０や各金種別一時保留部１３２に一時的に保留されている紙幣が、対応する一括紙幣収納庫１４０や各金種別紙幣収納庫１４２に送られ、これらの紙幣収納庫に収納されるようになる。このようにして、紙幣収納ユニット１００における紙幣の入金処理に係る一連の動作が完了する。
【００３５】
次に、紙幣収納ユニット１００によりバラ紙幣の出金処理を行う際の動作について説明する。本実施の形態による紙幣処理機が待機状態となっているときに、出金すべき紙幣の金種毎の枚数や合計金額等に係る情報を含むバラ紙幣出金処理開始の指令を操作者が操作部１４により制御部１０に入力したり上位端末等の外部装置から通信インターフェース部２０を介して制御部１０に上記のバラ紙幣出金処理開始の指令が送信されたりすると、出金すべき金種の紙幣が各金種別紙幣収納庫１４２から１枚ずつ紙幣繰出部１４４により下部搬送部１４６に繰り出される。そして、下部搬送部１４６により搬送される紙幣は出金識別部１４８によりその金種、真偽、正損、新旧等が識別され、出金識別部１４８により識別された紙幣は出金搬送部１５０により１枚ずつ搬送される。出金識別部１４８により正常な紙幣ではないと識別された紙幣、すなわちリジェクト紙幣は出金搬送部１５０から出金リジェクト部１５４に送られる。また、出金識別部１４８により正常な紙幣であると識別された紙幣は出金搬送部１５０によりバラ紙幣投出部１５２に送られ、このバラ紙幣投出部１５２に集積される。バラ紙幣投出部１５２は紙幣収納ユニット１００の筐体１０２の外部からアクセス可能となっており、紙幣収納ユニット１００において紙幣の出金処理が完了すると、操作者はこのバラ紙幣投出部１５２に集積された紙幣を手動で取り出すようになる。また、出金リジェクト部１５４に送られたリジェクト紙幣も筐体１０２の外部からアクセス可能となっている。このようにして、紙幣収納ユニット１００におけるバラ紙幣の出金処理に係る一連の動作が完了する。
【００３６】
次に、紙幣帯封ユニット２００により紙幣の帯封処理を行う際の動作について説明する。具体的には、紙幣帯封ユニット２００により帯封紙幣を金種毎に形成する場合の動作について以下に述べる。ここで、帯封紙幣を金種毎に形成するとは、ある金種の帯封紙幣を所定数だけ紙幣帯封ユニット２００により形成した後に、別の金種の帯封紙幣を所定数だけ紙幣帯封ユニット２００により形成することをいう。
【００３７】
本実施の形態による紙幣処理機が待機状態となっているときに、帯封部２１２により形成されるべき帯封紙幣の金種毎の数に係る情報を含む帯封処理開始の指令を操作者が操作部１４により制御部１０に入力したり上位端末等の外部装置から通信インターフェース部２０を介して制御部１０に上記の帯封処理開始の指令が送信されたりすると、帯封部２１２により形成されるべき帯封紙幣の金種毎の数が帯封紙幣数指定部３０により指定される。また、帯封紙幣が形成されるべき一または複数の金種のうちある金種の紙幣が各金種別紙幣収納庫１４２から１枚ずつ紙幣繰出部１４４により下部搬送部１４６に繰り出される。そして、下部搬送部１４６により搬送される紙幣は出金識別部１４８によりその金種、真偽、正損、新旧等が識別され、出金識別部１４８により識別された紙幣は出金搬送部１５０により１枚ずつ搬送される。出金識別部１４８により正常な紙幣ではないと識別された紙幣、すなわちリジェクト紙幣は出金搬送部１５０から出金リジェクト部１５４に送られる。また、出金識別部１４８により正常な紙幣であると識別された紙幣は出金搬送部１５０により上下の整理一時保留部１６０のうち一方の整理一時保留部１６０に送られ、当該整理一時保留部１６０に集積される。そして、整理一時保留部１６０に集積された紙幣の枚数が所定の枚数（例えば、１００枚）に達すると、整理一時保留部１６０に集積された紙幣の束がアーム部２１０により当該整理一時保留部１６０から取り出され、この紙幣の束はアーム部２１０により紙幣帯封ユニット２００の帯封部２１２に搬送される。また、アーム部２１０により紙幣の束が一方の整理一時保留部１６０から取り出されている間、出金搬送部１５０から他方の整理一時保留部１６０に紙幣が送られてこの他方の整理一時保留部１６０に紙幣が集積されるようになっている。
【００３８】
アーム部２１０により整理一時保留部１６０から取り出された紙幣の束が当該アーム部２１０により紙幣帯封ユニット２００の帯封部２１２に搬送されると、この帯封部２１２において、テープセット部２１４から当該帯封部２１２に送られた帯封紙により紙幣の束が結束されることによって帯封紙幣が形成される。帯封部２１２により形成された帯封紙幣は帯封紙幣搬送部２１６により帯封紙幣投出部２１８に搬送され、操作者はこの帯封紙幣投出部２１８に送られた帯封紙幣を手動で取り出すことができるようになる。また、帯封紙幣搬送部２１６により帯封紙幣投出部２１８に搬送された帯封紙幣は、当該帯封紙幣投出部２１８から帯封紙幣収納出金用搬送部２２０に搬送され、帯封紙幣判別部２２２を通過した後、この帯封紙幣収納出金用搬送部２２０により各帯封紙幣収納カセット２３０に金種別に収納されるようになっていてもよい。ある金種の紙幣について上述した処理が行われることにより所定数の帯封紙幣が形成されると、別の金種の紙幣について同様の処理が行われることによりこの別の金種についても所定数の帯封紙幣が形成されるようになる。そして、帯封紙幣数指定部３０により指定された金種毎の数の帯封紙幣が帯封部２１２により形成されると、紙幣帯封ユニット２００における紙幣の帯封処理に係る一連の動作が完了する。
【００３９】
次に、紙幣帯封ユニット２００により帯封紙幣の出金処理を行う際の動作について説明する。本実施の形態による紙幣処理機が待機状態となっているときに、出金されるべき帯封紙幣の金種毎の数に係る情報を含む帯封紙幣出金処理開始の指令を操作者が操作部１４により制御部１０に入力したり上位端末等の外部装置から通信インターフェース部２０を介して制御部１０に上記の帯封紙幣出金処理開始の指令が送信されたりすると、出金すべき金種の帯封紙幣が各帯封紙幣収納カセット２３０から１つずつカセット駆動部２３２により帯封紙幣収納出金用搬送部２２０に繰り出される。そして、各帯封紙幣収納カセット２３０から帯封紙幣収納出金用搬送部２２０に繰り出された帯封紙幣は帯封紙幣投出部２１８に送られ、操作者はこの帯封紙幣投出部２１８に送られた帯封紙幣を手動で取り出すことができるようになる。このようにして、紙幣帯封ユニット２００における帯封紙幣の出金処理に係る一連の動作が完了する。
【００４０】
また、本実施の形態による紙幣処理機では、紙幣帯封ユニット２００により紙幣の帯封処理を行うにあたり、各金種別紙幣収納庫１４２から繰り出された紙幣を整理一時保留部１６０に送る他に、一括紙幣収納庫１４０から繰り出された紙幣を整理一時保留部１６０に送ることにより２つの金種の帯封紙幣を並行して形成することができるようになっている。具体的には、本実施の形態による紙幣処理機の制御部１０において、上側の整理一時保留部１６０に第１の金種（例えば、千円札）を割り当てるとともに下側の整理一時保留部１６０に第２の金種（例えば、一万円札）を割り当てておく。そして、複数の金種の紙幣が混合状態で収納された一括紙幣収納庫１４０から繰り出された紙幣のうち第１の金種の紙幣（すなわち、千円札）を上側の整理一時保留部１６０に送り、第２の金種の紙幣（すなわち、一万円札）を下側の整理一時保留部１６０に送り、その他の金種の紙幣は一括一時保留部１３０に送りこの一括一時保留部１３０で一時的に保留した後に一括紙幣収納庫１４０に戻すようにする。また、上側の整理一時保留部１６０および下側の整理一時保留部１６０の各々において、集積された紙幣の枚数が所定数に達したときに当該整理一時保留部１６０から紙幣の束をアーム部２１０により取り出し、帯封部２１２においてこの取り出された紙幣の束に帯封紙を巻くことにより帯封紙幣を形成する。このように、紙幣処理機において２つの金種の帯封紙幣を並行して形成することをいわゆる「２金種巻き」という。このような、本実施の形態による紙幣処理機において２つの金種の帯封紙幣を並行して形成する動作について図３に示すフローチャートを用いてより詳細に説明する。
【００４１】
上述したように、本実施の形態による紙幣処理機の制御部１０において、上側の整理一時保留部１６０に第１の金種（例えば、千円札）が予め割り当てられるとともに下側の整理一時保留部１６０に第２の金種（例えば、一万円札）が割り当てられている。そして、本実施の形態による紙幣処理機が待機状態となっているときに、帯封部２１２により形成されるべき帯封紙幣の金種毎の数に係る情報を含む、２金種巻きの帯封処理開始の指令を操作者が操作部１４により制御部１０に入力したり上位端末等の外部装置から通信インターフェース部２０を介して制御部１０に上記の２金種巻きの帯封処理開始の指令が送信されたりすると、帯封部２１２により形成されるべき帯封紙幣の金種毎の数が帯封紙幣数指定部３０により指定される。また、２金種巻きの帯封処理開始の指令が制御部１０に与えられると、一括紙幣収納庫１４０から紙幣が１枚ずつ紙幣繰出部１４４により下部搬送部１４６に繰り出される（ＳＴＥＰ１）。そして、下部搬送部１４６により搬送される紙幣は出金識別部１４８によりその金種、真偽、正損、新旧等が識別され、出金識別部１４８により識別された紙幣は出金搬送部１５０により１枚ずつ搬送される（ＳＴＥＰ２）。出金識別部１４８により正常な紙幣ではないと識別された紙幣、すなわちリジェクト紙幣は出金搬送部１５０から出金リジェクト部１５４に送られる。また、出金識別部１４８により正常な紙幣であると識別された紙幣のうち第１の金種の紙幣（すなわち、千円札）は、（ＳＴＥＰ３の「ＹＥＳ」）、出金搬送部１５０により上側の整理一時保留部１６０に送られ、この上側の整理一時保留部１６０に集積される（ＳＴＥＰ４）。また、出金識別部１４８により正常な紙幣であると識別された紙幣のうち第２の金種の紙幣（すなわち、一万円札）は（ＳＴＥＰ３の「ＮＯ」およびＳＴＥＰ５の「ＹＥＳ」）、出金搬送部１５０により下側の整理一時保留部１６０に送られ、この下側の整理一時保留部１６０に集積される（ＳＴＥＰ６）。また、出金識別部１４８により正常な紙幣であると識別された紙幣のうち第１の金種および第２の金種以外の金種の紙幣（すなわち、二千円札および五千円札）は（ＳＴＥＰ３の「ＮＯ」およびＳＴＥＰ５の「ＮＯ」）、出金搬送部１５０および入金搬送部１１４により一括一時保留部１３０に送られ、この一括一時保留部１３０で一時的に保留された後に一括紙幣収納庫１４０に戻される（ＳＴＥＰ７）。
【００４２】
そして、上側の整理一時保留部１６０または下側の整理一時保留部１６０に集積された紙幣の枚数が所定の枚数（例えば、１００枚）に達した場合には（ＳＴＥＰ８の「ＹＥＳ」）、アーム部２１０により整理一時保留部１６０から紙幣の束が取り出され、この紙幣の束はアーム部２１０により帯封部２１２に搬送される（ＳＴＥＰ９）。そして、帯封部２１２において、テープセット部２１４から当該帯封部２１２に送られた帯封紙により紙幣の束が結束されることによって帯封紙幣が形成される（ＳＴＥＰ１０）。帯封部２１２により形成された帯封紙幣は帯封紙幣搬送部２１６により帯封紙幣投出部２１８に搬送され、操作者はこの帯封紙幣投出部２１８に送られた帯封紙幣を手動で取り出すことができるようになる。また、帯封紙幣搬送部２１６により帯封紙幣投出部２１８に搬送された帯封紙幣は、当該帯封紙幣投出部２１８から帯封紙幣収納出金用搬送部２２０に搬送され、帯封紙幣判別部２２２を通過した後、この帯封紙幣収納出金用搬送部２２０により各帯封紙幣収納カセット２３０に金種別に収納されるようになっていてもよい。
【００４３】
また、本実施の形態では、制御部１０において、所定の条件（具体的には、ある金種の帯封紙幣を紙幣処理機でこれ以上形成する必要がなくなるような条件）が満たされたときに（ＳＴＥＰ１１の「ＹＥＳ」）、各整理一時保留部１６０に割り当てられている金種を変更するようになっている（ＳＴＥＰ１２）。具体的には、制御部１０において、帯封部２１２により形成されたある金種の帯封紙幣の数が帯封紙幣数指定部３０により指定された当該金種の帯封紙幣の数に達したときに所定の条件が満たされたと判断されるようになっており、このときに、各整理一時保留部１６０に割り当てられている各金種のうち当該金種が他の金種に変更されるようになる。より詳細に説明すると、制御部１０において、上側の整理一時保留部１６０に第１の金種（例えば、千円札）が予め割り当てられるとともに下側の整理一時保留部１６０に第２の金種（例えば、一万円札）が割り当てられている場合において、帯封部２１２により形成された第１の金種の帯封紙幣（すなわち、千円札の帯封紙幣）の数が帯封紙幣数指定部３０により指定された第１の金種の帯封紙幣の数に達したときには、上側の整理一時保留部１６０に割り当てられている第１の金種が他の金種に変更される。ここで、上側の整理一時保留部１６０に割り当てられている第１の金種が第２の金種（すなわち、一万円札）に変更されてもよいし、あるいは上側の整理一時保留部１６０に割り当てられている第１の金種が第２の金種以外の金種（すなわち、二千円札や五千円札）に変更されてもよい。
【００４４】
制御部１０において上側の整理一時保留部１６０に割り当てられている第１の金種が第２の金種（すなわち、一万円札）に変更された場合には、一括紙幣収納庫１４０から紙幣繰出部１４４により下部搬送部１４６に繰り出され、出金識別部１４８により識別された紙幣の金種が第１の金種（すなわち、千円札）であったときにはこの紙幣は出金搬送部１５０および入金搬送部１１４により一括一時保留部１３０に送られ、この一括一時保留部１３０で一時的に保留された後に一括紙幣収納庫１４０に戻されるようになる。また、一括紙幣収納庫１４０から紙幣繰出部１４４により下部搬送部１４６に繰り出され、出金識別部１４８により識別された紙幣の金種が第２の金種（すなわち、一万円札）であったときにはこの紙幣は出金搬送部１５０により上側の整理一時保留部１６０および下側の整理一時保留部１６０のうち一方の整理一時保留部１６０に送られるようになる。より詳細には、アーム部２１０により第２の金種の紙幣の束が一方の整理一時保留部１６０から取り出されている間、出金搬送部１５０から他方の整理一時保留部１６０に第２の金種の紙幣が送られてこの他方の整理一時保留部１６０に第２の金種の紙幣が集積されるようになる。また、一括紙幣収納庫１４０から紙幣繰出部１４４により下部搬送部１４６に繰り出され、出金識別部１４８により識別された紙幣の金種が第１の金種や第２の金種以外の金種の紙幣（すなわち、二千円札や五千円札）であったときにはこの紙幣は出金搬送部１５０および入金搬送部１１４により一括一時保留部１３０に送られ、この一括一時保留部１３０で一時的に保留された後に一括紙幣収納庫１４０に戻されるようになる。このように、紙幣処理機において２金種巻きの帯封処理を行うにあたり、帯封部２１２により形成されたある金種の帯封紙幣（例えば、第１の金種の帯封紙幣）の数が帯封紙幣数指定部３０により指定された当該金種の帯封紙幣の数に達したときに、各整理一時保留部１６０に割り当てられている各金種のうち第１の金種を第２の金種に変更することにより、第２の金種の帯封紙幣を形成する際に上側の整理一時保留部１６０および下側の整理一時保留部１６０をフル活用することができるようになり、このため複数の金種の帯封紙幣を帯封部２１２により形成するのにかかる時間を短縮することができるようになる。
【００４５】
また、制御部１０において上側の整理一時保留部１６０に割り当てられている第１の金種が第２の金種以外の金種（すなわち、二千円札や五千円札）に変更された場合には、一括紙幣収納庫１４０から紙幣繰出部１４４により下部搬送部１４６に繰り出され、出金識別部１４８により識別された紙幣の金種が第１の金種（すなわち、千円札）であったときにはこの紙幣は出金搬送部１５０および入金搬送部１１４により一括一時保留部１３０に送られ、この一括一時保留部１３０で一時的に保留された後に一括紙幣収納庫１４０に戻されるようになる。また、一括紙幣収納庫１４０から紙幣繰出部１４４により下部搬送部１４６に繰り出され、出金識別部１４８により識別された紙幣の金種が第２の金種（すなわち、一万円札）であったときにはこの紙幣は出金搬送部１５０により下側の整理一時保留部１６０に送られるようになる。そして、下側の整理一時保留部１６０に集積された第２の金種の紙幣の枚数が所定の枚数（例えば、１００枚）に達した場合には、アーム部２１０により下側の整理一時保留部１６０から紙幣の束が取り出され、この紙幣の束はアーム部２１０により帯封部２１２に搬送された後、当該帯封部２１２において帯封紙により結束されることによって帯封紙幣が形成される。また、一括紙幣収納庫１４０から紙幣繰出部１４４により下部搬送部１４６に繰り出され、出金識別部１４８により識別された紙幣の金種が、上側の整理一時保留部１６０に新たに割り当てられた金種（すなわち、二千円札や五千円札）であったときにはこの紙幣は出金搬送部１５０により上側の整理一時保留部１６０に送られるようになる。そして、上側の整理一時保留部１６０に集積された当該金種の紙幣の枚数が所定の枚数（例えば、１００枚）に達した場合には、アーム部２１０により上側の整理一時保留部１６０から紙幣の束が取り出され、この紙幣の束はアーム部２１０により帯封部２１２に搬送された後、当該帯封部２１２において帯封紙により結束されることによって帯封紙幣が形成される。このような方法では、紙幣処理機において第１の金種の帯封紙幣や第２の金種の帯封紙幣以外の金種の帯封紙幣も形成することができるようになる。
【００４６】
なお、本実施の形態では、上記の「所定の条件」は、帯封部２１２により形成されたある金種の帯封紙幣の数が帯封紙幣数指定部３０により指定された当該金種の帯封紙幣の数に達したことに限定されることはない。「所定の条件」の他の様々な例について以下に説明する。例えば、制御部１０において、一括紙幣収納庫１４０に残留しているある金種の紙幣の枚数が所定数（例えば、１００枚）未満となるとともに整理一時保留部１６０に集積されている当該金種の紙幣の枚数が０枚となったときに所定の条件が満たされたと判断されるようになっており、このときに、各整理一時保留部１６０に割り当てられている各金種のうち当該金種が他の金種に変更されるようになっていてもよい。
【００４７】
より詳細に説明すると、制御部１０において、上側の整理一時保留部１６０に第１の金種（例えば、千円札）が予め割り当てられるとともに下側の整理一時保留部１６０に第２の金種（例えば、一万円札）が割り当てられている場合において、アーム部２１０により例えば上側の整理一時保留部１６０から第１の金種の紙幣の束が取り出されて帯封部２１２に搬送されたときに、一括紙幣収納庫１４０に残留している第１の金種の紙幣の枚数が、帯封紙幣を形成するのに必要な紙幣の枚数である１００枚未満となったときには、上側の整理一時保留部１６０に割り当てられている第１の金種が他の金種に変更される。ここで、上側の整理一時保留部１６０に割り当てられている第１の金種が第２の金種（すなわち、一万円札）に変更されてもよいし、あるいは上側の整理一時保留部１６０に割り当てられている第１の金種が第２の金種以外の金種（すなわち、二千円札や五千円札）に変更されてもよい。アーム部２１０により例えば上側の整理一時保留部１６０から第１の金種の紙幣の束が取り出されてこの上側の整理一時保留部１６０に集積されている紙幣の枚数が０枚となったときに、一括紙幣収納庫１４０に残留している第１の金種の紙幣の枚数が、帯封紙幣を形成するのに必要な紙幣の枚数である１００枚未満となったときには、紙幣処理機においてこの第１の金種の帯封紙幣をこれ以上形成することができなくなるため、一括紙幣収納庫１４０から紙幣繰出部１４４により繰り出された当該第１の金種の紙幣を整理一時保留部１６０に送る必要がなくなるからである。このような場合において、制御部１０において上側の整理一時保留部１６０に割り当てられている第１の金種が第２の金種（すなわち、一万円札）に変更された場合には、第２の金種の帯封紙幣を形成する際に上側の整理一時保留部１６０および下側の整理一時保留部１６０をフル活用することができるようになり、このため複数の金種の帯封紙幣を帯封部２１２により形成するのにかかる時間を短縮することができるようになる。また、制御部１０において上側の整理一時保留部１６０に割り当てられている第１の金種が第２の金種以外の金種（すなわち、二千円札や五千円札）に変更された場合には、紙幣処理機において第１の金種の帯封紙幣や第２の金種の帯封紙幣以外の金種の帯封紙幣も形成することができるようになる。
【００４８】
また、紙幣帯封ユニット２００において帯封部２１２により形成された帯封紙幣が帯封紙幣収納出金用搬送部２２０により各帯封紙幣収納カセット２３０に金種別に収納されるような運用が行われている場合には、制御部１０において、帯封部２１２により形成されたある金種の帯封紙幣を帯封紙幣収納カセット２３０に収納することができなくなったときに所定の条件が満たされたと判断されるようになっていてもよい。具体的には、帯封部２１２により形成された帯封紙幣の金種に対応する帯封紙幣収納カセット２３０がフル状態またはニアフル状態となっているとき、あるいは帯封部２１２により形成された帯封紙幣の金種に対応する帯封紙幣収納カセット２３０に収納された帯封紙幣が予め設定された束数になっているときには、当該金種の帯封紙幣が帯封部２１２により形成されてもこの帯封紙幣を帯封紙幣収納カセット２３０に収納することができないようになる。この場合には、制御部１０において所定の条件が満たされたと判断されるようになり、各整理一時保留部１６０に割り当てられている各金種のうち当該金種が他の金種に変更される。
【００４９】
より詳細に説明すると、制御部１０において、上側の整理一時保留部１６０に第１の金種（例えば、千円札）が予め割り当てられるとともに下側の整理一時保留部１６０に第２の金種（例えば、一万円札）が割り当てられている場合において、アーム部２１０により例えば上側の整理一時保留部１６０から第１の金種の紙幣の束が取り出されて帯封部２１２に搬送され、この帯封部２１２により形成された第１の金種の帯封紙幣が当該金種に対応する帯封紙幣収納カセット２３０に収納されることによりこの帯封紙幣収納カセット２３０がフル状態またはニアフル状態となり、この帯封紙幣収納カセット２３０に第１の金種の帯封紙幣をこれ以上収納することができなくなったときには、上側の整理一時保留部１６０に割り当てられている第１の金種が他の金種に変更される。ここで、上側の整理一時保留部１６０に割り当てられている第１の金種が第２の金種（すなわち、一万円札）に変更されてもよいし、あるいは上側の整理一時保留部１６０に割り当てられている第１の金種が第２の金種以外の金種（すなわち、二千円札や五千円札）に変更されてもよい。紙幣帯封ユニット２００において帯封部２１２により形成された帯封紙幣が帯封紙幣収納出金用搬送部２２０により各帯封紙幣収納カセット２３０に金種別に収納されるような運用が行われている場合には、帯封紙幣収納カセット２３０がフル状態またはニアフル状態となり、この帯封紙幣収納カセット２３０に第１の金種の帯封紙幣をこれ以上収納することができなくなったときに、紙幣処理機においてこの第１の金種の帯封紙幣をこれ以上形成する必要がなくなるため、一括紙幣収納庫１４０から紙幣繰出部１４４により繰り出された当該第１の金種の紙幣を整理一時保留部１６０に送る必要がなくなるからである。このような場合において、制御部１０において上側の整理一時保留部１６０に割り当てられている第１の金種が第２の金種（すなわち、一万円札）に変更された場合には、第２の金種の帯封紙幣を形成する際に上側の整理一時保留部１６０および下側の整理一時保留部１６０をフル活用することができるようになり、このため複数の金種の帯封紙幣を帯封部２１２により形成するのにかかる時間を短縮することができるようになる。また、制御部１０において上側の整理一時保留部１６０に割り当てられている第１の金種が第２の金種以外の金種（すなわち、二千円札や五千円札）に変更された場合には、紙幣処理機において第１の金種の帯封紙幣や第２の金種の帯封紙幣以外の金種の帯封紙幣も形成することができるようになる。
【００５０】
本実施の形態による紙幣処理機では、紙幣の各金種において、帯封部２１２により形成された帯封紙幣の数が帯封紙幣数指定部３０により指定された数に達するまで（ＳＴＥＰ１３の「ＮＯ」）、上記のＳＴＥＰ１〜ＳＴＥＰ１２に示す動作が繰り返し行われる。そして、紙幣の各金種において、帯封部２１２により形成された帯封紙幣の数が帯封紙幣数指定部３０により指定された数に達すると（ＳＴＥＰ１３の「ＹＥＳ」）、紙幣処理機における２金種巻きの帯封処理に係る一連の動作が完了する。
【００５１】
以上のような構成からなる本実施の形態の紙幣処理機によれば、制御部１０は、複数の整理一時保留部１６０のうち少なくとも一つには他の整理一時保留部１６０とは異なる金種を割り当て、出金搬送部１５０により搬送される紙幣をその金種に対応する整理一時保留部１６０に送るよう出金搬送部１５０の制御を行うようになっており、また、この制御部１０は、所定の条件が満たされたときに、整理一時保留部１６０に割り当てられている金種を変更するようになっている。この場合には、複数（例えば、２つ）の金種の帯封紙幣が並行して形成される際に、ある金種の帯封紙幣を紙幣処理機でこれ以上形成する必要がなくなるような所定の条件が満たされたときに、整理一時保留部１６０に割り当てられている当該金種を他の金種に変更することにより、複数の整理一時保留部１６０をフル活用することができるようになり、このため複数の金種の帯封紙幣を帯封部２１２により形成するのにかかる時間を短縮することができる。
【００５２】
本実施の形態の紙幣処理機においては、上述したように、制御部１０において、帯封部２１２により形成されたある金種の帯封紙幣の数が帯封紙幣数指定部３０により指定された当該金種の帯封紙幣の数に達したときに上記の所定の条件が満たされたと判断されるようになっており、このときに、各整理一時保留部１６０に割り当てられている各金種のうち当該金種が他の金種に変更されるようになる。この場合には、紙幣処理機において例えば２金種巻きの帯封処理を行うにあたり、帯封部２１２により形成されたある金種の帯封紙幣（例えば、第１の金種の帯封紙幣）の数が帯封紙幣数指定部３０により指定された当該金種の帯封紙幣の数に達したときに、各整理一時保留部１６０に割り当てられている各金種のうち第１の金種を例えば第２の金種に変更することにより、第２の金種の帯封紙幣を形成する際に上側の整理一時保留部１６０および下側の整理一時保留部１６０をフル活用することができるようになり、このため複数の金種の帯封紙幣を帯封部２１２により形成するのにかかる時間を短縮することができるようになる。
【００５３】
また、本実施の形態の紙幣処理機においては、上述したように、制御部１０において、一括紙幣収納庫１４０に残留しているある金種の紙幣の枚数が所定数未満となるとともに整理一時保留部１６０に集積されている当該金種の紙幣の枚数が０枚となったときに所定の条件が満たされたと判断されるようになっており、このときに、各整理一時保留部１６０に割り当てられている各金種のうち当該金種が他の金種に変更されるようになっていてもよい。例えば、第１の金種が割り当てられている整理一時保留部１６０に集積されている紙幣の枚数が０枚となるとともに、一括紙幣収納庫１４０に残留している第１の金種の紙幣の枚数が、帯封紙幣を形成するのに必要な紙幣の枚数である１００枚未満となったときには、紙幣処理機においてこの第１の金種の帯封紙幣をこれ以上形成することができなくなるため、一括紙幣収納庫１４０から紙幣繰出部１４４により繰り出された当該第１の金種の紙幣を整理一時保留部１６０に送る必要がなくなり、この場合には第１の金種が割り当てられている整理一時保留部１６０に他の金種を新たに割り当てることにより、この整理一時保留部１６０を有効利用することができるようになる。
【００５４】
また、本実施の形態の紙幣処理機においては、上述したように、制御部１０において、帯封部２１２により形成されたある金種の帯封紙幣を帯封紙幣収納カセット２３０に収納することができなくなったときに所定の条件が満たされたと判断されるようになっており、このときに、各整理一時保留部１６０に割り当てられている各金種のうち当該金種が他の金種に変更されるようになっていてもよい。紙幣帯封ユニット２００において帯封部２１２により形成された帯封紙幣が帯封紙幣収納出金用搬送部２２０により各帯封紙幣収納カセット２３０に金種別に収納されるような運用が行われている場合には、帯封紙幣収納カセット２３０がフル状態またはニアフル状態となり、この帯封紙幣収納カセット２３０に例えば第１の金種の帯封紙幣をこれ以上収納することができなくなったときに、紙幣処理機においてこの第１の金種の帯封紙幣をこれ以上形成する必要がなくなるため、一括紙幣収納庫１４０から紙幣繰出部１４４により繰り出された当該第１の金種の紙幣を整理一時保留部１６０に送る必要がなくなり、この場合には第１の金種が割り当てられている整理一時保留部１６０に他の金種を新たに割り当てることにより、この整理一時保留部１６０を有効利用することができるようになる。
【００５５】
また、本実施の形態の紙幣処理機においては、上述したように、制御部１０は、各整理一時保留部１６０に割り当てられている複数の金種のうちある金種（例えば、上側の整理一時保留部１６０に割り当てられている第１の金種）を他の金種に変更する際に、他の整理一時保留部１６０に既に割り当てられている金種（すなわち、第２の金種）に変更してもよいし、あるいは、他の整理一時保留部１６０に割り当てられていない金種（すなわち、第２の金種以外の金種）に変更してもよい。前者の場合には、第２の金種の帯封紙幣を形成する際に上側の整理一時保留部１６０および下側の整理一時保留部１６０をフル活用することができるようになり、このため複数の金種の帯封紙幣を帯封部２１２により形成するのにかかる時間を短縮することができるようになる。また、後者の場合には、紙幣処理機において第１の金種の帯封紙幣や第２の金種の帯封紙幣以外の金種の帯封紙幣も形成することができるようになる。
【００５６】
また、本実施の形態の紙幣処理機においては、上述したように、２金種巻きの帯封処理が行われる際に用いられる一括紙幣収納庫１４０は、複数の金種の紙幣を混合状態で収納するようになっている。
【００５７】
なお、本実施の形態による紙幣処理機やこのような紙幣処理機による紙幣処理方法は、上述したような態様に限定されることはなく、様々な変更を加えることができる。
【００５８】
例えば、制御部１０において整理一時保留部１６０に割り当てられている金種を変更する基準となる「所定の条件」は、上述した様々な例で挙げられたものに限定されることはない。所定の条件として、ある金種の帯封紙幣を紙幣処理機でこれ以上形成する必要がなくなるようなものであれば、上述した様々な例で挙げられたもの以外の条件が用いられてもよい。
【００５９】
また、本実施の形態による紙幣処理機において、整理一時保留部１６０が３つ以上設けられており、これらの３つ以上の整理一時保留部１６０の各々に対して互いに異なる金種を割り当てることにより、３つ以上の金種の帯封紙幣を並行して形成することができるようになっていてもよい。この場合でも、制御部１０は、所定の条件が満たされたときに、整理一時保留部１６０に割り当てられている金種を変更することにより、３つ以上の金種の帯封紙幣が並行して形成される際に、ある金種の帯封紙幣を紙幣処理機でこれ以上形成する必要がなくなるような所定の条件が満たされたときに、整理一時保留部１６０に割り当てられている当該金種を他の金種に変更することにより、複数の整理一時保留部１６０をフル活用することができるようになり、このため３つ以上の金種の帯封紙幣を帯封部２１２により形成するのにかかる時間を短縮することができるようになる。また、整理一時保留部１６０が３つ以上設けられている場合には、各々に対して互いに異なる金種を割り当てるのではなく、３つ以上の整理一時保留部１６０のうち、複数の整理一時保留部１６０に、他の整理一時保留部１６０とは別の共通の金種を割り当てるようにしてもよい。具体的には、例えば、整理一時保留部１６０が３つ設けられている場合には、２つの整理一時保留部１６０に第１の金種（例えば、千円札）を割り当てるとともに残りの１つの整理一時保留部１６０に第２の金種（例えば、一万円札）を割り当てるようにしてもよい。本実施の形態による紙幣処理機により形成されるべき帯封紙幣について、第１の金種の紙幣（すなわち、千円札）が第２の金種の紙幣（すなわち、一万円札）よりもかなり多いことが予め分かっている場合には、このような割り当てを行うことにより帯封紙幣を形成するのにかかる時間を短縮することができるようになる。
【符号の説明】
【００６０】
１０    制御部
１２    表示部
１４    操作部
１６    記憶部
１８    印字部
２０    通信インターフェース部
３０    帯封紙幣数指定部
１００  紙幣収納ユニット
１０２  筐体
１１０  紙幣投入部
１１２  紙幣繰出部
１１４  入金搬送部
１１６  入金識別部
１１８  表裏反転部
１２０  入金リジェクト部
１３０  一括一時保留部
１３２  金種別一時保留部
１４０  一括紙幣収納庫（収納繰出部）
１４２  金種別紙幣収納庫
１４４  紙幣繰出部（収納繰出部）
１４６  下部搬送部（搬送部）
１４８  出金識別部
１５０  出金搬送部（搬送部）
１５２  バラ紙幣投出部
１５４  出金リジェクト部
１６０  整理一時保留部（集積部）
１７０  分岐部材
１８０  紙幣検出センサ
１８２  紙幣厚さ検知センサ
１８４  半券検知センサ
２００  紙幣帯封ユニット
２０２  筐体
２１０  アーム部
２１２  帯封部
２１４  テープセット部
２１６  帯封紙幣搬送部
２１８  帯封紙幣投出部
２２０  帯封紙幣収納出金用搬送部
２２２  帯封紙幣判別部
２２４  リフト部
２３０  帯封紙幣収納カセット（帯封紙幣収納部）
２３２  カセット駆動部
【図１】
0006393570.tif 000002
【図２】
0006393570.tif 000003
【図３】
0006393570.tif 000004